(57)【要約】【課題】従来の電気掃除機において、掃除機本体を使用しての清掃中に家具や小物等の障害物を移動するためには掃除機本体の使用を一時中断し、延長管を床面等に置く必要があり、さらに掃除機本体の使用を再開するために腰を屈めて床面等に置いてある延長管を取り上げる必要があるという課題を有していた。【解決手段】本体２１よりも高所に設けた係止部５１と、本体２１と係止部５１とを結合する支え部５２とを有し、延長管２５を係止部５１に係止可能な構成としたことにより、容易に延長管２５を係止部５１に係止可能で、かつ容易に延長管２５を係止部５１から取り外すことができるので、容易に掃除機本体２１の使用を一時中断及び再開することができ、使い勝手を向上した電気掃除機を提供できるようになる。【選択図】図１
2005218477.tif 000002
【特許請求の範囲】
【請求項１】
電気掃除機の本体と、一端を前記本体に接続され他端を延長管に接続される可撓性ホースと、前記延長管の一端に接続される床用吸込具と、前記本体の天面よりも高所に設けた係止部と、前記本体と前記係止部とを結合する支え部とを有し、前記延長管を前記係止部に係止可能な構成とした電気掃除機。
【請求項２】
係止部の上面に窪み部を設け、前記窪み部に延長管を係止可能な構成とした請求項１記載の電気掃除機。
【請求項３】
延長管が係止部に係止しているかを検知する検知手段を有し、本体運転中に延長管を係止部に係止すると、これと同時に前記検知手段が動作して、前記本体が運転を停止する構成とした請求項１または２のいずれか１項に記載の電気掃除機。
【請求項４】
延長管が係止部に係止しているかを検知する検知手段を有し、本体運転停止中で、かつ延長管が係止部に係止している時に、延長管を係止部から取り外すと、これと同時に前記検知手段が動作して、前記本体が運転を開始する構成とした請求項１〜３のいずれか１項に記載の電気掃除機。
【請求項５】
係止部及び／または支え部を本体運搬用のハンドル形状とした請求項１〜４のいずれか１項に記載の電気掃除機。
【請求項６】
延長管に操作ハンドルを設け、前記操作ハンドルを係止部に係止可能な構成とした請求項１〜５のいずれか１項に記載の電気掃除機。
【発明の詳細な説明】
【技術分野】
【０００１】
本発明は、一般家庭等で使用される電気掃除機に関するものである。
【背景技術】
【０００２】
従来、この種の電気掃除機は収納時または運搬時に掃除機本体を立て、本体底面近傍に設けた係止穴部に、延長管に設けた突部を嵌合している（例えば、特許文献１参照）。
【０００３】
図１０は前記特許文献１に記載された従来の電気掃除機を示すものである。図１０に示すように、掃除機本体１と、可撓性ホース２と、延長管３と、操作ハンドル４と、掃除機本体１に設けた係止穴部５と、延長管３に設けた突部６と、床用吸込具７から構成されている。
【特許文献１】特開２０００−１２６０９３号公報
【発明の開示】
【発明が解決しようとする課題】
【０００４】
しかしながら、前記従来の構成では、掃除機本体１を使用し清掃作業中に家具や小物等の障害物を移動するためには、掃除機本体１の運転を一時中断し、延長管３を床面等に置く必要がある。さらに掃除機本体１の運転を再開するために、腰を屈めたり膝を曲げたりして床面等に置いてある延長管３を取り上げる必要がある。
【０００５】
また掃除機本体１の運転を一時中断するときに、掃除機本体１に延長管３を立てることも可能だが、このときは掃除機本体１を立て、操作ハンドル４を持ち、狙いを定めて係止穴部５に突部６を挿入する動作が必要であるという課題を有していた。
【０００６】
本発明は、前記従来の課題を解決するもので、清掃作業中に容易に延長管を置き一時中断することができ、さらにこの状態から容易に延長管を取り清掃作業を再開することができる使い勝手を向上した電気掃除機を提供することを目的とする。
【課題を解決するための手段】
【０００７】
前記従来の課題を解決するために、本体よりも高所に設けた係止部と、本体と係止部とを結合する支え部とを有し、延長管を係止部に係止可能な構成としたものである。
【０００８】
これによって、容易に延長管を係止部に係止可能で、かつ容易に延長管を係止部から取り外すことができる。
【発明の効果】
【０００９】
本発明の電気掃除機は、容易に掃除機本体の使用を一時中断及び再開することができ、使い勝手を向上することができる。
【発明を実施するための最良の形態】
【００１０】
第１の発明は、電気掃除機の本体と、一端を前記本体に接続され他端を延長管に接続される可撓性ホースと、前記延長管の一端に接続される床用吸込具と、前記本体よりも高所に設けた係止部と、前記本体と前記係止部とを結合する支え部とを有し、前記延長管を前記係止部に係止可能な構成とすることにより、容易に延長管を係止部に係止可能で、かつ容易に延長管を係止部から取り外すことができるので、容易に掃除機本体の使用を一時中断及び再開することができ、つまり使い勝手を向上することができる。
【００１１】
第２の発明は、第１の発明の係止部の上面に窪み部を設け、前記窪み部に延長管を係止可能な構成とすることにより、確実に係止可能で、保持力を向上することができる。
【００１２】
第３の発明は、第１または第２の発明に加えて、延長管が係止部に係止しているかを検知する検知手段を有し、本体運転中に延長管を係止部に係止すると、これと同時に前記検知手段が動作して、前記本体が運転を停止する構成とすることにより、運転スイッチでの停止操作が不要となる。
【００１３】
第４の発明は、第１〜第３のいずれか１つの発明の延長管が係止部に係止しているかを検知する検知手段を有し、本体運転停止中かつ延長管が係止部に係止している時に、延長管を係止部から取り外すと、これと同時に前記検知手段が動作して、前記本体が運転を開始する構成とすることにより、運転スイッチでの運転開始操作が不要となる。
【００１４】
第５の発明は、特に、第１〜第４のいずれか１つの発明の係止部及び／または支え部を本体運搬用のハンドル形状とすることにより、低位置にある本体を直接引き上げる必要がなく、手元の近くにある係止部または支え部を持って本体の移動を容易に行うことができる。
【００１５】
第６の発明は、特に、第１〜第５のいずれか１つの発明の延長管に操作ハンドルを設け、前記操作ハンドルを係止部に係止可能な構成とすることにより、係止時には係止部より下方に延長管や可撓性ホースを配することとなり、延長管と可撓性ホースの重心がより低くなるため、安定して係止可能である。
【００１６】
以下、本発明の実施の形態について、図面を参照しながら説明する。なお、この実施の形態によって本発明が限定されるものではない。
【００１７】
（実施の形態１）
図１（ａ）は、本発明の実施の形態１における電気掃除機の本体使用時の状態を示す側面図であり、図１（ｂ）は、本体一時停止時の状態を示す側面図である。図２は本体一時停止の状態を示す背面図である。図３（ａ）は、支え部を伸ばした状態を示す側面図であり、図３（ｂ）は、支え部を途中まで縮めた状態を示す側面図である。図４は、支え部を収容した状態を示す側面図である。
【００１８】
図１〜図４において、掃除機本体（以下、本体と称す）２１には、電動送風機（図示せず）と集塵室２２を内蔵している。また床用吸込具２３には回転ブラシ２４を内蔵し、床用吸込具２３の延長管２５側には回動部２６を設けてあり、この回動部２６を介して延長管２５へと回動自在に接続されている。この延長管２５と本体２１とは可撓性ホース２７によって接続されている。さらに延長管２５の一端には操作ハンドル２８を設けており、この操作ハンドル２８近傍に運転スイッチ２９を配している。延長管２５は締結解除ボタン４１を押すことによって、結合箇所Ａで床用吸込具２３側の前方延長管４２と操作ハンドル２８側の後方延長管４３とに分離可能である。
【００１９】
さらに本体２１の上方には横棒状の係支部５１を有し、本体２１とは２本の棒状の支え部５２によって結合されている。ここで支え部５２は複数の段階で伸縮可能であり、最も縮めることで、支え部５２自身を本体２１内に収容する構成としている（図４の状態）。また係止部５１内には磁石５３が埋め込まれており、延長管２５下端に内蔵した磁力入切式の磁石スイッチ５４（検知手段）と対向するように配されている。この磁石スイッチ５４は磁石５３が近接しているかを検知する検知手段である。なお本体２１には電動送風機や回転ブラシの動作制御を行うための制御回路（図示せず）を内蔵しており、磁石スイッチ５４からの信号はこの制御回路へ送られることになる。また係止部５１の上面には、延長管２５の半径よりも一回り以上大きな円弧状の窪み部５５を設けている。
【００２０】
以上のように構成された電気掃除機について、以下その動作、作用を説明する。
【００２１】
操作ハンドル２８を手に持ち、運転スイッチ２９を操作すると電動送風機と回転ブラシ２４が動作し、吸引力を発生して床面の塵埃を掻き揚げながら吸込むことになる。
【００２２】
続いて本体２１の吸込み力を利用した清掃作業中（図１（ａ）の状態）から、障害物を移動させる等で清掃作業を一時的に中断し、本体２１を運転停止するときに延長管２５を係止部５１に乗せる（図１（ｂ）及び図２の状態）。このとき係止部５１上面には窪み部５５を設けているので、スムーズに延長管２５が係止部５１上に納まる。そして延長管２５が係止部５１に近接すると、磁石スイッチ５４が磁石５３に反応して延長管２５が係止部５１に近接したことを制御回路に伝え、本体２１内の電動送風機及び回転ブラシ２４の運転を停止させる。そのため清掃を一時中断している間に必要以上に電力を消費することなく、さらに本体２１等の運転音も発生していないので、快適に障害物を移動させたり、急な電話や来客等の運転音が気になる状況にも素早く確実に対応できる。
【００２３】
この状態から再び清掃作業を行うときは、操作ハンドル２９を持ち上げる（図１（ａ）の状態へ戻る）。すると磁石スイッチ５４から磁石５３の反応が消え、延長管２５が係止部５１から離れたことを制御回路に伝え、本体２１内の電動送風機及び回転ブラシ２４の運転を再開させて、ただちに清掃作業を再開することができる。
【００２４】
さらに清掃作業を完全に終了するには、再び運転スイッチ２９を操作して電動送風機と回転ブラシ２４を停止する。
【００２５】
ここで支え部５２の長さを調節して、係止部の高さを変化させることが可能であり、使用者の手元付近の高さに係止部を配することができる（図３（ａ）及び図３（ｂ）の状態）。
【００２６】
以上のように、本実施の形態においては本体２１よりも高所に設けた係止部５１と、本体２１と係止部５１とを結合する支え部５２とを有し、延長管２５を係止部５１に係止可能な構成とすることにより、容易に延長管２５を係止部に係止可能で、かつ容易に延長管２５を係止部５１から取り外すことができるので、容易に本体２１の使用を一時中断及び再開することができ、つまり使い勝手を向上することができる。
【００２７】
また本実施の形態では係止部５１の上面に窪み部５５を設け、窪み部５５に延長管２５を係止可能な構成とすることにより、確実に係止可能で、保持力を向上することができる。
【００２８】
また本実施の形態では延長管２５が係止部５１に係止しているかを検知する磁石スイッチ５４を有し、本体２１運転中に延長管２５を係止部５１に係止すると、これと同時に磁石スイッチ５４が動作して、本体２１が運転を停止する構成とすることにより、運転スイッチ２９での停止操作が不要となる。
【００２９】
また本実施の形態では延長管２５が係止部５１に係止しているかを検知する磁石スイッチ５４を有し、本体２１運転停止中かつ延長管２５が係止部に係止している時に、延長管２５を係止部から取り外すと、これと同時に磁石スイッチ５４が動作して、本体２１が運転を開始する構成とすることにより、運転スイッチ２９での運転開始操作が不要となる。
【００３０】
また本実施の形態では係止部５１の高さを自在に変更可能な構成とすることにより、使用者それぞれの身長や手の長さ等に合わせて最適な係止部５１の高さに調整することができる。
【００３１】
また本実施の形態では係止部５１及び支え部５２を本体２１内部及び本体２１外装部に収容可能な構成とすることにより、本体２１をコンパクトにすることができ、狭い場所での本体２１移動時や狭い場所への収納時に係止部５１や支え部５２が障害物に当たらず、移動性や収納性が向上するものである。
【００３２】
なお係止部５１の位置は本体２１重心の真上に配することで、延長管２５の係止中の安定性が向上する。
【００３３】
なお本実施の形態では係止部５１の基本形状を横棒状としているが、Ｖ字型とすることで延長管２５の係止時の保持力を向上できる。
【００３４】
なお本実施の形態では支え部５２を２本としているが、１本とすることで軽量化を図ることができる。
【００３５】
なお本実施の形態では支え部５２を数段階に伸縮できる構成としたが、折畳式としても同様の効果を得られるものである。
【００３６】
なお係止時の保持力を高めるために、延長管２５の可撓性ホース２７側の端部は少量の角度を持つ折れ曲り部を有するか（図１（ａ）の形状）、もしくは延長管２５端部の直径が端部以外の直径に比べて太くなっている方が望ましい。
【００３７】
さらに係止部５１に対向する延長管２５の被係止箇所にゴム材やエラストマー樹脂材等の摩擦係数の高い部材を配して、延長管２５の滑りや外れを押さえて、径止部５１への引っ掛かり性を向上させ、係止時の保持力を高めることができる。また摩擦係数の高い部材は係止部５１に配しても構わない。
【００３８】
さらに係止部５１に対向する延長管２５の被係止箇所に段付き部や突部を設けて、径止部５１への引っ掛かり性を向上させ、係止時の保持力を高めることができる。
【００３９】
なお本実施例では延長管２５の一部を係止部５１へ係止しているが、可撓性ホース２７を係止部５１へ係止することで、延長管２５の向きを自由に変更して狭い場所での係止にも対応できる。
【００４０】
なお本実施の形態では検知手段を磁石スイッチとしたが、簡便なマイクロスイッチ方式や検知範囲の広い赤外線センサ、超音波センサを利用しても構わない。
【００４１】
なお運転スイッチ２９の近傍に磁石スイッチによる運転の自動入切の機能自体を使用するかどうかの有無を操作するスイッチを設けて、任意に運転の自動入切を実現できる。
【００４２】
（実施の形態２）
図５は、本発明の第２の実施の形態の電気掃除機における係止部近傍での本体一時停止の状態を示す背面図である。
【００４３】
なお係止部５１以外の構成は第１の実施の形態と同様であるので、その詳細な説明を省略するものである。
【００４４】
本実施の形態の係止部５１に保持アーム６１を設け、保持アーム６１に延長管２５を保持可能な構成とすることにより、係止時に延長管２５を強固に保持することができる。
【００４５】
保持アーム６１は樹脂製または板金製で、それ自身の弾性力で保持を行っている。
【００４６】
なお保持アーム６１を剛体として係止部５１内にばねを配しても同様の効果を得られる。
【００４７】
なお延長管２５側に保持アーム６１を設けても構わない。
【００４８】
なお保持アーム６１での保持を解除する保持解除ボタンを設けることで、より強固に保持することができる。
【００４９】
なお保持アーム６１をモータやソレノイド等を利用した電動で保持／解除を行うことで、操作性を向上することができる。
【００５０】
（実施の形態３）
図６は、本発明の第３の実施の形態の電気掃除機における係止部近傍を示す背面図である。
【００５１】
なお係止部５１以外の構成は第１の実施の形態と同様であるので、その詳細な説明を省略するものである。
【００５２】
本実施の形態の係止部５１を本体２１運搬用のハンドル形状とすることにより、低位置にある本体２１を直接引き上げる必要がなく、手元の近くにある係止部５１を持って本体２１の移動を容易に行うことができる。
【００５３】
なお係止部５１の両端に突部６６を設けることで、係止時の保持力を向上するものである。
【００５４】
（実施の形態４）
図７は、本発明の第４の実施の形態の電気掃除機における係止部近傍を示す背面図である。
【００５５】
なお係止部５１以外の構成は第１の実施の形態と同様であるので、その詳細な説明を省略するものである。
【００５６】
本実施の形態の係止部５１に運転スイッチ２９を設けることにより、延長管内２５の運転スイッチ及び可撓性ホース２７内の信号線が不要となり、結果として延長管２５及び可撓性ホース２７の小型軽量が図れ、操作性を向上することができる。
【００５７】
なお運転スイッチ２９は延長管２５に当たらないように係止部５１の側面に配することもできる。
【００５８】
なお本実施の形態では運転スイッチ２９を係止部５１に設けたが、係止部５１自体がスイッチボタンであっても構わない。
【００５９】
（実施の形態５）
図８（ａ）は、本発明の第５の実施の形態の電気掃除機における補助吸込具使用時の状態を示す側面図であり、図８（ｂ）は、係止部の詳細を示す部分拡大側断面図（図８（ａ）のＢ部詳細）であり、図８（ｃ）は、本体使用時の径止部と補助吸込具の状態を示す側面図である。
【００６０】
なお延長管２５及び係止部５１以外の構成は第１の実施の形態と同様であるので、その詳細な説明を省略するものである。
【００６１】
本実施の形態の延長管２５は、床用吸込具２３側の前方延長管４２と可撓性ホース２７側の後方延長管４３に分割可能であり、前方延長管４２のみでも係止部５１に係止可能な構成とすることにより、前方延長管４２を係止部５１に係止、保持させたまま、後方延長管４３を使って棚等の高所の清掃作業を行うことが可能であり、続いて後方延長管４３を使った清掃作業後は、容易に前方延長管４２と後方延長管４３を結合することができる。
【００６２】
また係止部５１の周囲に着脱可能な補助吸込具７１を配したことにより、容易に床用吸込具２３と補助吸込具７１とを交換可能で、素早く多種の清掃作業を行うことができる。
【００６３】
なお床用吸込具は用途に応じた複数個を配することもできる。
【００６４】
なお補助吸込具７１は係止の邪魔にならない様に、取付け部７２を介して係止部５１に配することもできる。
【００６５】
なお前方延長管４２の後方延長管４３側端には、係止時の保持力を向上するために突部７３を設けることもできる。
【００６６】
（実施の形態６）
図９は、本発明の第６の実施の形態の電気掃除機における本体一時停止時の状態を示す側面図である。
【００６７】
なお操作ハンドル２８及び係止部５１以外の構成は第１の実施の形態と同様であるので、その詳細な説明を省略するものである。
【００６８】
本実施の形態の延長管２５に設けた操作ハンドル２８を係止部５１に係止可能な構成とすることにより、係止時には係止部５１より下方に延長管２５や可撓性ホース２７を配することとなり、延長管２５と可撓性ホース２７の重心がより低くなるため、安定して係止可能である。
【００６９】
なお操作ハンドル２８の後端には、係止時の保持力を向上するために曲がり部７６を設けることもできる。
【産業上の利用可能性】
【００７０】
以上のように、本発明にかかる電気掃除機は、容易に掃除機本体の使用を一時中断及び再開することができ、結果として使い勝手を向上することができるので、一般家庭等で使用される電気掃除機等として有用である。
【図面の簡単な説明】
【００７１】
【図１】（ａ）本発明の実施の形態１における電気掃除機の本体使用時の状態を示す側面図（ｂ）同、本体一時停止時の状態を示す側面図
【図２】本発明の実施の形態１における本体一時停止の状態を示す背面図
【図３】（ａ）本発明の実施の形態１における支え部を伸ばした状態を示す側面図（ｂ）同、支え部を途中まで縮めた状態を示す側面図
【図４】本発明の実施の形態１における支え部を収容した状態を示す側面図
【図５】本発明の実施の形態２における係止部近傍での本体一時停止の状態を示す背面図
【図６】本発明の実施の形態３における係止部近傍を示す背面図
【図７】本発明の実施の形態４における本体使用時の状態を示す側面図
【図８】（ａ）本発明の実施の形態５における補助吸込具使用時の状態を示す側面図（ｂ）同、係止部の詳細を示す部分拡大側断面図（ｃ）同、本体使用時の径止部と補助吸込具の状態を示す側面図
【図９】本発明の実施の形態６における本体一時停止時の状態を示す側面図
【図１０】従来の電気掃除機の構成を示す一部欠載側断面図
【符号の説明】
【００７２】
２１  本体
２３  床用吸込具
２５  延長管
２７  可撓性ホース
２８  操作ハンドル
２９  運転スイッチ
４２  前方延長管
５１  係止部
５２  支え部
５４  磁石スイッチ（検知手段）
５５  窪み部
６１  保持アーム
７１  補助吸込具
【図１】
2005218477.tif 000003
【図２】
2005218477.tif 000004
【図３】
2005218477.tif 000005
【図４】
2005218477.tif 000006
【図５】
2005218477.tif 000007
【図６】
2005218477.tif 000008
【図７】
2005218477.tif 000009
【図８】
2005218477.tif 000010
【図９】
2005218477.tif 000011
【図１０】
2005218477.tif 000012